(57)【要約】【課題】ダクトの内部１０４に直接凹凸を形成しなくとも、異音を防止し、スピーカの高音質化を図る。【解決手段】この位相反転型スピーカのダクトには、キャビネットに支持される円筒状のダクト本体と、ダクト本体内部の通気性を確保しつつ、ダクト本体の内面全周に密着するシートとが備えられている。シートの内表面には微小な凹凸が形成されている。【選択図】図１
2008278129.tif 000002
【特許請求の範囲】
【請求項１】
前面にスピーカユニットが取付けられるキャビネットと、前記キャビネットに支持され前記スピーカユニットの背面から出る音を位相反転させて前面に放射する筒状のダクト本体とを有する位相反転型スピーカに適用され、
前記ダクト本体内部の通気性を確保しつつ、前記ダクト本体の内面全周に密着するシートを備え、
前記シートの内表面には微小な凹凸が形成されていることを特徴とする位相反転型スピーカのダクト。
【請求項２】
請求項１記載の位相反転型スピーカのダクトにおいて、
前記シートの微小な凹凸は、ハニカム構造であることを特徴とする位相反転型スピーカのダクト。
【請求項３】
前面にスピーカユニットが取付けられるキャビネットと、前記キャビネットに支持され前記スピーカユニットの背面から出る音を位相反転させて前面に放射する筒状のダクトとを有する位相反転型スピーカに適用され、
前記ダクト内部の通気性を確保しつつ、前記ダクトの内面全周に密着するスピーカダクト用シートであって、
少なくとも一方の表面には微小な凹凸が形成されていることを特徴とするスピーカダクト用シート。
【請求項４】
請求項３記載のスピーカダクト用シートにおいて、
前記微小な凹凸は、ハニカム構造であることを特徴とするスピーカダクト用シート。
【発明の詳細な説明】
【技術分野】
【０００１】
本発明は、位相反転型スピーカのダクト及びスピーカダクト用シートに関する。
【背景技術】
【０００２】
従来、位相反転型スピーカ１００は、図７に示すようにキャビネット１０１の前面上部に配置されたスピーカユニット１０２と、前面下部に配置されたダクト１０３とを備えている。この位相反転型スピーカ１００においては、スピーカユニット１０２の背面から放射された低音部の音波が、キャビネット１０１内部とダクト１０３により位相反転され、キャビネット１０１外に放射される。これにより、スピーカユニット１０２前面から放射された音波と合成されることになり、低音部が増強される。
【０００３】
ここで、図８に示すように、従来のダクト１０３は円筒状に形成されていて、その内部１０４がキャビネット１０１前方に向けて露出している。このためキャビネット１０１内部で反射した低音部がダクト１０３の内部１０４を通過し、当該キャビネット１０１の前方に抜けるようになっている。
【０００４】
ここで、ダクト１０３の内壁面の空気抵抗が少ないと内壁面近傍の気流が変化しにくいため、ダクト１０３内の気流に速い部分と、遅い部分との差が大きくなってしまう。これがダクト１０３内に風切音という異音が発生する要因となっていた。
【０００５】
この異音を防止すべく、近年、ダクト１０３の内部１０４に直接凹凸（例えばディンプル形状）等を形成することで気流を部分的にコントロールするものが開発されている（例えば特許文献１参照）。
【特許文献１】特開２００３−６１１７７号公報
【発明の開示】
【発明が解決しようとする課題】
【０００６】
しかしながら、ダクト１０３の内部１０４に直接凹凸を形成することは、金型が複雑となってしまい、製造コストが高くなってしまうのが現実である。
【０００７】
本発明の課題は、ダクトの内部１０４に直接凹凸を形成しなくとも、異音を防止し、スピーカの高音質化を図ることである。
【課題を解決するための手段】
【０００８】
請求項１記載の発明に係る位相反転型スピーカのダクトは、
前面にスピーカユニットが取付けられるキャビネットと、前記キャビネットに支持され前記スピーカユニットの背面から出る音を位相反転させて前面に放射する筒状のダクト本体とを有する位相反転型スピーカに適用され、
前記ダクト本体内部の通気性を確保しつつ、前記ダクト本体の内面全周に密着するシートを備え、
前記シートの内表面には微小な凹凸が形成されていることを特徴とする位相反転型スピーカのダクト。
【０００９】
請求項２記載の発明は、請求項１記載の位相反転型スピーカのダクトにおいて、
前記シートの微小な凹凸は、ハニカム構造であることを特徴としている。
【００１０】
請求項３の発明に係るスピーカダクト用シートは、
前面にスピーカユニットが取付けられるキャビネットと、前記キャビネットに支持され前記スピーカユニットの背面から出る音を位相反転させて前面に放射する筒状のダクトとを有する位相反転型スピーカに適用され、
前記ダクト内部の通気性を確保しつつ、前記ダクトの内面全周に密着するスピーカダクト用シートであって、
少なくとも一方の表面には微小な凹凸が形成されていることを特徴としている。
【００１１】
請求項４記載の発明は、請求項３記載のスピーカダクト用シートにおいて、
前記微小な凹凸は、ハニカム構造であることを特徴としている。
【発明の効果】
【００１２】
本発明によれば、通気性を確保しつつ、ダクト本体の内面全周に密着するシートの内表面に微小な凹凸が形成されているので、当該凹凸による整流作用によってダクト内部の気流がスムーズとなる。これにより、異音が防止され高音質化が図られる。
【００１３】
さらに、ダクト本体自体に微小な凹凸を形成しなくとも、ダクト本体内部にシートを挿入するだけで整流作用が得られるので、ダクト本体を形成する金型の複雑化を抑制でき、製造コストを抑えることが可能となる。
【発明を実施するための最良の形態】
【００１４】
以下、図を参照にして本発明の実施形態について説明する。図１は位相反転型スピーカに搭載されるダクトの断面図である。
【００１５】
図１に示すようにダクト１には、位相反転型スピーカ１０におけるキャビネット１１の前壁１２により支持される円筒状のダクト本体２と、ダクト本体２の内面全周に密着するシート３とが備えられている。
【００１６】
ダクト本体２は、キャビネット１１に取り付けられたスピーカユニット（図示省略）の背面から出る音を位相反転させて前面に放射するものである。このダクト本体２には、キャビネット１１の前壁１２に形成された貫通孔１３に嵌合する円筒部２１と、円筒部２１の先端部でキャビネット１１から露出し、外側に向けて延出する曲面状のフランジ部２２とが形成されている。円筒部２１の内面には、シート３が挿入される凹部２３が形成されている。
【００１７】
シート３（スピーカダクト用シート）は、ダクト本体２に挿入される前には薄いシート状となっており、その少なくとも一方の表面には微小な凹凸が形成されている。図２は、シート３の拡大図である。図２に示すようにシート３の表面３１には微小な凹凸としてハニカム構造３２が形成されている。具体的には、シート３は、ハニカム状のセルを持つ部材をスライスすることで形成されている。
【００１８】
そして、微小な凹凸が形成された表面が内側を向くように、シート３を丸めてダクト本体２の円筒部２１の内側に挿入し、シート３が凹部２３内に収まると、シート３自体の弾性復帰によりダクト本体２の内面全周に密着する。この際、シート３自体は凹部２３内に収まっているので、ダクト本体２内部の通気性が確保されることになる。なお、シート３のダクト本体２の内周との接触面側若しくは凹部２３の内面に接着剤を塗布しておき、凹部２３内にシート３が収まった際にシート３と円筒部２１とが接着されるようにしてもよい。
【００１９】
次に本実施形態の作用について説明する。
位相反転型スピーカ１０のキャビネット１１内に音波が発生すると、低音部の音波はキャビネット１１内で反射し、ダクト１内を通過する。ここで、シート３の微小な凹凸であるハニカム構造３２は、六角形状のセルの集合体であり、対向面が三方向となっているため、ダクト１内部の空気の流れによって共振した場合での三方向の共鳴が分散されて、異音が低減されることになる。
【００２０】
以上のように、本実施形態によれば、ダクト本体２の通気性を確保しつつ、ダクト本体２の内面全周に密着するシート３の内表面に微小な凹凸が形成されているので、当該凹凸による整流作用によってダクト内部の気流がスムーズとなる。これにより、異音が防止され高音質化が図られる。
【００２１】
さらに、ダクト本体２自体に微小な凹凸を形成しなくとも、ダクト本体２内部にシート３を挿入するだけで整流作用が得られるので、ダクト本体２を形成する金型の複雑化を抑制でき、製造コストを抑えることが可能となる。
【００２２】
さらに、ハニカム構造３２であると、従来用いられていたディンプル等の円形の凹凸と比較しても線形が長く、さらにはダクト本体２の内部全体を覆うことができるので、整流作用が高められて、より効率よく異音の発生を防止することができる。
【００２３】
また、ダクト本体２とシート３とが別体であるので、ハニカム構造３２のセルの大きさや厚みの異なるシート３を、異音の周波数に応じて切り替えることもでき、チューニングも容易に行えることができる。
【００２４】
また、シート３を樹脂製或いは紙製とすることで共振をより小さくすることができる。
【００２５】
なお、本発明は上記実施形態に限らず適宜変更可能であるのは勿論である。
例えば、本実施形態では、ダクト本体２の一端部に一体的なフランジ部２２が設けられているダクト１を例示して説明したが、ダクト１の形状はこれに限定されるものではない。例えば図３に示すようなフランジ部自体が省略されたダクト１Ａや、図４に示すようなフランジ部２２ｂがシート３ｂにより形成されたダクト１Ｂ、図５に示すようなダクト本体２ｃの両端部にフランジ部２２ｃが形成されたダクト１Ｃなどが挙げられる。特に図５のダクト１Ｃであると、曲面状のフランジ部２２ｃがダクト本体２ｃの両端部（気流の出入口）に形成されているので、より整流作用が高められることになる。
また、本実施形態ではダクト１を円筒状とし、図７に示したようにその断面は円状として説明したが、これに限定されるものではない。図示しないが、ダクト１の断面形状は円状以外に、例えば楕円形状であったり、多角形状であったり、様々な形状とすることができる。本発明に基づくシート３はダクト１の様々な断面形状に容易に適応することが可能である。
【００２６】
また、本実施形態では、ハニカム状のセルを持つ部材をスライスすることでシート３が形成される場合を例示して説明したが、例えば紙の表面に金型を押し当てることでハニカム構造の微小な凹凸を持つシートを形成することも可能である。この場合、図６に示すように、シート３Ｄの表面にハニカム構造３２ｄの外形線Ｌ以外の線Ｌ１を形成することができ、より整流作用が高められることになる。
【図面の簡単な説明】
【００２７】
【図１】本実施形態の位相反転型スピーカのダクトの概略構成を示す断面図である。
【図２】本実施形態のシート（スピーカダクト用シート）の表面形状を表す斜視図である。
【図３】図１のダクトの変形例を示す断面図である。
【図４】図１のダクトの変形例を示す断面図である。
【図５】図１のダクトの変形例を示す断面図である。
【図６】図３のシートの変形例を示す正面図である。
【図７】従来の位相反転型スピーカの概略構成を示す正面図である。
【図８】図７の位相反転型スピーカに搭載されるダクトの断面図である。
【符号の説明】
【００２８】
１      ダクト
２      ダクト本体
３      シート（スピーカダクト用シート）
１０      位相反転型スピーカ
１１      キャビネット
１２      前壁
１３      貫通孔
２１      円筒部
２２      フランジ部
２３      凹部
３１      表面
３２      ハニカム構造
【図１】
2008278129.tif 000003
【図２】
2008278129.tif 000004
【図３】
2008278129.tif 000005
【図４】
2008278129.tif 000006
【図５】
2008278129.tif 000007
【図６】
2008278129.tif 000008
【図７】
2008278129.tif 000009
【図８】
2008278129.tif 000010